(57)【要約】本発明の目的は、一脚、二脚、三脚等の設置台本体を背負って運搬することができるようにすることによって、カメラ設置台の運搬時に片手あるいは両手を自由に使用することができるカメラ設置台を提供することにあり、本発明のカメラ設置台は、カメラが着脱される雲台を備えた脚を背負うことができるようにしたカメラ設置台であって、脚の下部に引掛かり具を設けた設置台本体と、この設置台本体の上部と引掛かり具とに連結可能な背負い紐とからなることを特徴とする
2004063617.tif 000002
【特許請求の範囲】
【請求項１】
カメラが着脱される雲台を備えた脚を背負うことができるようにしたカメラ設置台であって、
前記脚の下部に引掛かり具を設けた設置台本体と、この設置台本体の上部と前記引掛かり具とに連結可能な背負い紐とからなることを特徴とするカメラ設置台。
【請求項２】
カメラが着脱される雲台と、前記雲台に対して開閉自在な３本の脚とを備えた設置台本体を背負うことができるようにしたカメラ設置台であって、
前記脚の下部に巻き付けられるバンド、前記バンドの前記脚との接触部に設けられた滑止部、及び、前記脚の下部に前記バンドが巻き付けられた状態を維持するための面状ファスナーを具備する引掛かり具と、
荷物を入れるための袋体、前記袋体に開閉可能に閉じ合わされる前開き片、及び、前記袋体に設けられた連結紐を具備し、荷物の収納が可能な収納体と、
前記設置台本体の上部に着脱可能に連結する第１の連結手段、前記第１の連結手段から分岐する一対の背負いベルト、前記収納体が具備する連結紐と着脱可能に連結し、且つ、当該収納体を前記設置台本体から吊り下げ状に保持する第２の連結手段、及び、前記一対の背負いベルトの端部から前記引掛かり具にそれぞれ着脱可能に連結する第３の連結手段を具備する背負い紐と
を備えたことを特徴とするカメラ設置台。
【請求項３】
カメラが着脱される雲台と、前記雲台に対して開閉自在な３本の脚とを備えた設置台本体を背負うための背負い紐であって、
前記設置台本体の上部に着脱可能に連結する第１の連結手段と、
前記第１の連結手段から分岐する一対の背負いベルトと
を備えたことを特徴とする背負い紐。
【請求項４】
前記一対の背負いベルトは、右肩用背負いベルトと左肩用背負いベルトとからなり、前記右肩用背負いベルトと左肩用背負いベルトとが互いに交差するように、前記一対の背負いベルトの端部から前記脚の下部にそれぞれ連結されて使用されることを特徴とする請求の範囲３に記載の背負い紐。
【請求項５】
前記一対の背負いベルトを束ねるためのリング体に、前記一対の背負いベルトが挿通されて使用されることを特徴とする請求の範囲３又は４に記載の背負い紐。
【請求項６】
カメラが着脱される雲台と、前記雲台に対して開閉自在な３本の脚とを備えた設置台本体を背負うための背負い紐が着脱可能に連結される引掛かり具であって、
前記脚の下部に巻き付けられるバンドと、
前記バンドの前記脚との接触部に設けられた滑止部と、
前記脚の下部に前記バンドが巻き付けられた状態を維持するための面状ファスナーと
を備えたことを特徴とする引掛かり具。
【請求項７】
カメラが着脱される雲台と、前記雲台に対して開閉自在な脚とを備えた設置台本体を背負うための背負い紐に着脱可能に連結される荷物の収納が可能な収納体であって、
荷物を入れるための袋体と、
前記袋体に開閉可能に閉じ合わされる前開き片と、
前記袋体に設けられ、前記背負い紐と着脱可能に連結される連結紐と
を備えたことを特徴とする収納体。
【発明の詳細な説明】
【技術分野】  本発明は、運搬に便利なカメラ設置台、カメラ設置台に用いられる背負い紐、背負い紐に着脱可能に連結される引掛かり具、及び、背負い紐に着脱可能に連結される収納体に関する。
【背景技術】  撮影機材には、写真撮影用あるいはビデオ撮影用のカメラのほか、そのカメラを設置するための一脚、二脚あるいは三脚などの脚、照明設備、フィルムなどが含まれ、そのうち脚には大形のものから小形のものまで種々ある。
従来、これらの必要な撮影機材を運搬する際には、その運搬場所が近くであれば脚やカメラを手に持ったり肩に担いだりして運搬し、その他のバッグに入る機材についてはその機材を収納したバッグを背負って運搬することが普通であった。また、運搬場所が遠いときにはバイクや自動車等が使われ、バイクのときには、バイクの荷台等に脚を載せ、カメラやその他の機材は、それらを入れたバッグを背負って運搬することが普通であった。
特開平９−２６０８６号公報には、カメラが着脱される雲台を備えた三脚において、３本の脚のうち２本の脚の上端部間に横架した上部横桟に上記雲台を取り付けるとともに、２本の脚の中間部に横架した下部横桟に荷受け板を取り付け、その荷受け板の上に荷物を置いたり、上部横桟と下部横桟との間に背負いベルトを連結して全体を背負うことができるようにした三脚が記載されている。
また、特開平９−４２５８９号公報には、カメラが着脱される雲台を備えた三脚において、３本の脚のうち２本の脚の上端部間に横架した上部横桟に上記雲台を取り付けるとともに、上記横桟の両端に垂設された縦桟の下端部間に横架した下部横桟に荷受け板を取り付け、その荷受け板の上に荷物を置いたり、上部横桟と縦桟との間に背負いベルトを連結して全体を背負うことができるようにした三脚が記載されている。
さらに、特開平１０−８９５９１号公報には、カメラが着脱される雲台を備えた三脚において、３本の脚のうち２本の脚の上端部間に横架した上部横桟と、２本の脚の中間部間に横架した下部横桟に荷受け板を取り付け、その荷受け板の上に荷物を置いたり、上部横桟と下部横桟との間に背負いベルトを連結して全体を背負うことができるようにした三脚が記載されている。
発明の要約
従来は、運搬場所が近い場合にはどうしても片手あるいは両手でカメラや脚などを持ったり支えたりすることになるため、片手あるいは両手の自由が損なわれるという不便があった。また、運搬場所が遠い場合には、カメラを脚の雲台から取り外してそれらを分解して運搬しなければならない不便があった。背中に背負ったバッグに脚を入れて運搬すると手の自由がある程度は保たれるようになるけれども、大形の脚はバッグに入らないためにそのようなことをすることができなかった。
これに対し、上記３つの特許文献に記載されたものは、背負いベルトを使って三脚や荷受け板の上に置いた荷物を背負うことができるので、撮影機材を運搬するときに両手を自由に使用することができるという長所がある。
しかし、このものは、上部横桟や下部横桟を２本の脚に連結する必要があり、しかも、カメラを設置するための雲台が上部横桟に取り付けられているので、その構造が特殊であって一般的な三脚、すなわち雲台にヒンジ機構を介して３本の脚が直接に連結されているような三脚には適用することができない。そのため、汎用性に欠けるほか、３本の脚のうちの２本の脚が下部横桟によって運搬中に開いた姿勢に保たれるため、運搬時の形が大形になるという問題がある。
本発明は以上の状況に鑑みてなされたものであり、バッグに入れて運搬しにくい、あるいはバッグに入れて運搬することのできない機材、たとえば雲台にヒンジ機構を介して３本の脚が直接に連結されているような一般的な構造の三脚やそれに類似する一脚や二脚などの脚を背負って運搬できるようにすることによって、カメラ設置台の運搬時に片手あるいは両手を自由に使用することができるカメラ設置台、当該カメラ設置台に用いられる背負い紐、引掛かり具及び収納体を提供することを目的とする。
また、本発明は、脚と他の機材を収容したバッグを併せて背中に背負って運搬することができるようにすることによって、運搬時に片手あるいは両手を自由に使用することができるカメラ設置台、当該カメラ設置台に用いられる背負い紐、引掛かり具及び収納体を提供することを目的とする。
さらに、本発明は、カメラとカメラを取り付けた脚とを分解せずにそのまま運搬することのできるカメラ設置台、当該カメラ設置台に用いられる背負い紐、引掛かり具及び収納体を提供することを目的とする。
第一の本発明は、カメラが着脱される雲台を備えた脚を背負うことができるようにしたカメラ設置台であって、
上記脚の下部に引掛かり具を設けた設置台本体と、この設置台本体の上部と上記引掛かり具とに連結可能な背負い紐とからなることを特徴とするカメラ設置台である。
第一の本発明のカメラ設置台によれば、前記設置台の下部に設けた引掛かり具と当該設置台本体の上部とに前記背負い紐を掛け渡して連結することにより、その設置台本体を背中に背負って運搬することができるので、カメラ設置台を手に持ったり肩に担いだりする必要がなくなり、徒歩で運搬するときやバイクで運搬するときに片手あるいは両手を自由に使用することができる。
また、この背負い紐は、一脚、二脚あるいは三脚などの設置台本体の何れにも適用することができる。なお、上記引掛かり具は、前記設置台本体の脚に対して、着脱自在とすることもできるし、溶接等により固定的に設けることもでき、その設置方法は任意である。しかしながら、上記引掛かり具は、既製品のカメラ設置台本体に設けるられるように構成されていることが好ましく、また、そのカメラ設置台を背負う人の背丈に応じて調整可能なように、前記脚に対する引掛かり具の設ける位置を移動可能なように構成されていることが好ましい。これらを考慮に入れると、上記引掛かり具は、着脱自在の構成とすることが好ましい。
第二の本発明は、カメラが着脱される雲台と、上記雲台に対して開閉自在な３本の脚とを備えた設置台本体を背負うことができるようにしたカメラ設置台であって、
上記脚の下部に巻き付けられるバンド、上記バンドの上記脚との接触部に設けられた滑止部、及び、上記脚の下部に上記バンドが巻き付けられた状態を維持するための面状ファスナーを具備する引掛かり具と、
荷物を入れるための袋体、上記袋体に開閉可能に閉じ合わされる前開き片、及び、上記袋体に設けられた連結紐を具備し、荷物の収納が可能な収納体と、
上記設置台本体の上部に着脱可能に連結する第１の連結手段、上記第１の連結手段から分岐する一対の背負いベルト、上記収納体が具備する連結紐と着脱可能に連結し、且つ、当該収納体を前記設置台本体から吊り下げ状に保持する第２の連結手段、及び、上記一対の背負いベルトの端部から上記引掛かり具にそれぞれ着脱可能に連結する第３の連結手段を具備する背負い紐とを備えたことを特徴とするカメラ設置台である。
第二の本発明のカメラ設置台によれば、第一の発明と同様に、一脚、二脚あるいは三脚などの設置台本体の上部と引掛かり具とに掛け渡して連結した背負い紐でその設置台本体を背中に背負って運搬することができるので、カメラ設置台を手に持ったり肩に担いだりする必要がなくなり、徒歩で運搬するときやバイクで運搬するときに片手あるいは両手を自由に使用することができる。また、雲台にカメラを取り付けたままの設置台本体を背負うこともできるため、運搬先では設置台本体を置いてカメラ取付作業を行うことなくすばやく撮影作業に入ることが可能になる。
また、上記引掛かり具が、バンドの脚との接触部に設けられた滑止部を備えているため、脚の下部に巻き付けられたバンドがずれることを防止することができ、しかも、脚の何れの場所であっても任意に巻き付けて引掛かり具を固定することができるといったメリットがある。このように、カメラ設置台本体の脚の何れの場所にでも引掛かり具を固定することができるようにすることによって、どのような既製のカメラ設置台本体を用いた場合であっても、使用する人の背丈や好みに応じて設置場所を適宜変更できる利点がある。
また、バンドを脚に巻き付けて、面状ファスナーでバンドを固定するという簡単な取り付け方法により、脚に引掛かり具を取り付けることが可能となるため、引掛かり具を脚に取り付けるための工具等が不要となり、利便性に優れたものとなる。
また、上記引掛かり具が、設置台本体の脚に対して着脱可能であるため、不要なときに引掛かり具を脚から取り外すことができるので、引掛かり具が不要なときに脚に取り付けた引掛かり具が邪魔になるということがない。
また、上記収納体を、収納体を地面から浮かせた状態で背負い紐に取り付けることにより、バッグ等を地面につけることなく収納体に収納させたまま、バッグの開閉等を行うことができるため、水溜り等があって地面の状況が悪い環境下での撮影作業が容易となる。
また、上記背負い紐と上記収納体とを取り付けた設置台本体の３本の脚を開き、設置台本体を地面等に設置した際には、収納体が上記設置台本体から吊り下げた状態に保持されるが、このとき、収納体が接触する脚の傾きにより収納体の前開き片側の面が上方を向くように傾斜した状態となる。その結果、袋体に開閉可能に閉じ合わされる前開き片を開いて収納体に収納されているバッグを取り扱うことができる。そのため、前開きのバッグ（例えば、アタッシュケース等）であっても、当該バッグを収納体に収納させたまま、バッグのなかに納められている交換レンズ等を取り出したり納めたりすることができ、利便性に優れたものとなる。
また、設置台本体と、バッグ等が収納された収納体とを一体的に取り扱うことが可能となるため、バッグ等にカメラ部品としての交換レンズやフィルム等の部品を収納しておけば、容易に持ち運ぶことができるとともに、移動して撮影する際に、上記部品を置き忘れたりしてしまうことを防止することができる。また、カメラが取り付けられた設置台本体とバッグ等が一体的に連結されており、カメラで撮影する間においても、上記荷物、上記カメラ設置台本体、上記カメラが使用者の前面側に位置することになり、死角となる後方や側方に荷物を仮置きする必要がないので、熱中して撮影を行っている場合でも、バッグ等が盗難に遭う危険性を低減することができる。
また、上記収納体を宙吊り状態で地面から浮かせた状態で撮影することが可能となるため、撮影途中でのレンズの交換等の作業を一々しゃがんで地面に置いた荷物からレンズを取り出すなどの作業を要することなく素早く行うことが可能となる。
また、上記背負い紐が、設置台本体の上部に着脱可能に連結する第１の連結手段、及び、引掛かり具に着脱可能に連結する第３の連結手段を備えているため、必要なときだけ背負い紐を設置台本体に連結することが可能となる利便性がある。上記連結手段としては、例えば、ＵＲＬ：ｈｔｔｐ：／／ｎｅｔｄｅ．ｎｅｔ／ｊａｐａｎｂａｇ／ｓｐｏｒｔｓ／ｐａｒｔｓ．ｈｔｍｌ（平成１４年１０月２３日検索）により開示されているサイドリリースバックルを採用することもできる。
そのほか、引掛かり具から取り外した背負い紐を、自動車や座席等の他のものに結び合わせて連結することが可能であるので、例えば、自動車で運搬するときに背負い紐を座席に結束して設置台本体の横倒れ等を防ぐことが可能となる。
第二の本発明では、背負い紐が具備する連結紐に連結された収納体を、上記設置台本体と一対の背負いベルトとの間に位置させることができるようになっていることが望ましい。このような構成とすることにより、背負い紐が具備する第１の連結手段が、設置台本体の上部に結び合わせ可能な帯紐である場合に、この帯紐を設置台本体の上部に結び付けて背負い紐を設置台本体に連結することができるというだけではなく、その帯紐を、収納体に収納されたバッグ等の手提げ用把手等の他の物に結び付けて、バッグ等を支えることにも利用できるという利便がある。
特に、プロが使用する三脚は、重量のあるものが多く、なかには、１０ｋｇ程度の重量があるものも存在する。そのため、場所を頻繁に変更して移動撮影する場合には、従来では、撮影者以外のスタッフが移動の補助を行うようにしていたが、第二の本発明のカメラ設置台を用いれば、カメラ設置台にカメラを設置した状態で、当該カメラ設置台を背負って移動することができるため、撮影場所の移動変更が極めて楽になり、撮影者が単独で移動撮影を行うことも可能となるといったメリットがある。
本発明の背負い紐は、カメラが着脱される雲台と、上記雲台に対して開閉自在３本の脚とを備えた設置台本体を背負うための背負い紐であって、
上記設置台本体の上部に着脱可能に連結する第１の連結手段と、
上記第１の連結手段から分岐する一対の背負いベルトと
を備えたことを特徴とする背負い紐である。
本発明の背負い紐によれば、当該背負い紐を、設置台本体の上部と上記脚の下部とに連結して、その設置台本体を背中に背負って運搬することができるので、カメラ設置台を手に持ったり肩に担いだりする必要がなくなり、徒歩で運搬するときやバイクで運搬するときに片手あるいは両手を自由に使用することができる。また、雲台にカメラを取り付けたままの設置台本体を背負うこともできるため、運搬先では設置台本体を置いてカメラ取付作業を行うことなくすばやく撮影作業に入ることが可能になる。また、撮影場所を移動する場合でも、背負い紐でカメラ設置台本体及びカメラ類を一挙に背負って移動できるため、従来のように、その重量の重さとカメラの衝撃破損のおそれから、一々カメラとカメラ設置台とを分離して移動するなどの面倒な作業を行う必要がなくなる。
そのほか、上記脚の下部から取り外した背負い紐を、自動車や座席等の他のものに結び合わせて連結することが可能であるので、例えば、自動車で運搬するときに背負い紐を座席に結束して設置台本体の横倒れ等を防ぐことが可能となる。
特に、プロが使用する三脚は、重量のあるものが多く、場所を頻繁に変更して移動撮影する場合には、従来では、撮影者以外のスタッフが移動の補助を行うようにしていたが、本発明の背負い紐を用いれば、カメラ設置台にカメラを設置した状態で、当該カメラ設置台を背負って移動することができるため、撮影場所の移動変更が極めて楽になり、撮影者が単独で移動撮影を行うことも可能となるといったメリットがある。
本発明の背負い紐は、上記一対の背負いベルトが、右肩用背負いベルトと左肩用背負いベルトとからなり、右肩用背負いベルトと左肩用背負いベルトとが互いに交差するように、前記一対の背負いベルトの端部から前記脚の下部にそれぞれ連結されて使用されることが望ましい。
このように２つ背負いベルトが交差するように脚の下部に連結されていると、撮影者等が本発明の背負いベルトを備えたカメラ設置台を背負った際、背負いベルトは撮影者等の後側で交差し、比較的水平に近い状態で脚に連結される。さらに、カメラ設置台等の重量等に起因して背負いベルトに引っ張り応力が働くこととなり、この引っ張り応力により脚が閉じる方向に引っ張られ、自動的に折りたたまれることとなる。また、背負いベルトが連結されていない脚は、撮影者等の後の方向を向いたまま残る。従って、撮影者等は、周囲の障害物等を気にすることなく、移動することができる。
また、本発明の背負い紐は、一対の背負いベルトを束ねるためのリング体に、上記一対の背負いベルトが挿通されて使用されることが望ましい。
上記背負いベルトが単に撮影者等の後側で交差しているのみであると、収納体が邪魔をして、引っ張り応力がうまく働かず、撮影者等が背負いベルトの位置を変えたり、背負った状態でカメラ設置台等を揺する等の動作をしなければ、脚がうまく閉じないおそれがあるが、リング体が存在することにより、リングを介して脚と連結することができる。このとき、連結する脚は、背負いベルトを交差させる場合と逆になるが、比較的水平に近い状態で脚に連結される。そして、カメラ設置台等の重量等により、引っ張り応力は上記背負いベルトに同様に働き、リングの作用により収納体等との摩擦も小さくなるので、よりスムーズに脚が折りたたまれる。
上記リング体は、収納体の底部に設けることが好ましいが、背負いベルトを束ねるためのリング体を収納体底部に設けるのみでなく、収納体等との摩擦を小さくし、かつ、背負いベルトの方向を規制するリング体を収納体の底部等にさらに２つ設け、それぞれに背負いベルトを挿通する方法をとることもできる。
これにより、引っ張り応力がよりスムーズに働き、さらにスムーズに脚が折りたたまれる。
また、上記リング体は、背負いベルトを束ねることができるものであれば、取り付けられる位置は限定されず、さらに、背負いベルトを束ねた状態で宙吊りになっていてもよい。
本発明の引掛かり具は、カメラが着脱される雲台と、上記雲台に対して開閉自在な３本の脚とを備えた設置台本体を背負うための背負い紐が着脱可能に連結される引掛かり具であって、
上記脚の下部に巻き付けられるバンドと、
上記バンドの上記脚との接触部に設けられた滑止部と、
上記脚の下部に上記バンドが巻き付けられた状態を維持するための面状ファスナーと
を備えたことを特徴とする引掛かり具である。
本発明の引掛かり具によれば、バンドの脚との接触部に設けられた滑止部を備えているため、脚の下部に巻き付けられたバンドがずれることを防止することができる。
また、本発明の引掛かり具が面状ファスナーを備えているため、撓むことなく堅固にバンドを巻き付けることができるとともに、異なる太さの脚を備えた既存の三脚に対して、引掛かり具を取り付けることが可能となり、汎用性に優れたものとなる。
また、バンドを脚に巻き付けて、面状ファスナーでバンドを固定するという簡単な取り付け方法により、脚に引掛かり具を取り付けることが可能となるため、引掛かり具を脚に取り付けるための工具等が不要となり、利便性に優れたものとなる。
また、設置台本体の脚に対して着脱可能であるため、不要なときに引掛かり具を脚から取り外すことができるので、引掛かり具が不要なときに脚に取り付けた引掛かり具がじゃまになるということがない。
本発明の収納体は、カメラが着脱される雲台と、上記雲台に対して開閉自在な脚とを備えた設置台本体を背負うための背負い紐に着脱可能に連結される荷物の収納が可能な収納体であって、
荷物を入れるための袋体と、
上記袋体に開閉可能に閉じ合わされる前開き片と、
上記袋体に設けられ、上記背負い紐と着脱可能に連結される連結紐と
を備えたことを特徴とする収納体である。
本発明の収納体によれば、収納体を地面から浮かせた状態で背負い紐に取り付けることにより、バッグ等を地面につけることなく収納体に収納させたまま、バッグを取り扱うことができるため、水溜り等があっても、その場所にバッグが収納されたカメラ設置台を移動させてバッグを取り扱うことができる。
また、上記収納体が、当該収納体が備える袋体に設けられた連結紐と、袋体に開閉可能に閉じ合わされる前開き片と備えているため、背負い紐に上記収納体が連結したカメラ設置台を置いた状態で、前開き片を開いて収納体に収納されているバッグを取り扱うことができる。そのため、前開きのバッグ（例えば、アタッシュケース等）であっても、当該バッグを収納体に収納させたまま、バッグの開閉等の取り扱うことができるため、利便性に優れたものとなる。
また、上記収納体を背負い紐に取り付けたままの状態で撮影することが可能となるため、撮影の際に、レンズの交換等の作業を素早く行うことが可能となる。
【図面の簡単な説明】  図１は、第一の本発明に係るカメラ設置台を概略で示した外観図である。
図２は、バッグを吊り下げた状態のカメラ設置台の概略斜視図である。
図３は、背負い紐の外観図である。
図４は、引掛かり具の概略斜視図である。
図５は、袋体の概略外観図である。
図６は、第二の本発明に係るカメラ設置台を概略で示した外観図である。
図７は、収納体を吊り下げた状態のカメラ設置台の外観図である。
図８は、背負い紐の外観図である。
図９（ａ）は、引掛かり具の概略平面図であり、（ｂ）は、その概略底面図である。
図１０は、収納体の概略外観図である。
図１１は、第一の本発明に係るカメラ設置台に雨避具が取り付けられた様子を模式的に示す外観図である。
図１２（ａ）は、雨避具が備えるカメラ保護枠を模式的に示す正面図であり、（ｂ）は、その側面図である。
図１３は、雨避具が備えるカメラ保護カバーを模式的に示す平面図である。
図１４は、雨避具が備えるバッグ保護カバーを模式的に示す平面図である。
図１５は、背負い紐と着脱可能に連結されるバッグを吊り下げた状態のカメラ設置台の概略斜視図である。
図１６は、図１５に示したバッグが開いた状態を示す概略正面図である。
【符号の説明】
Ａ、Ｄ  カメラ設置台
Ｃ、Ｆ  カメラ
１、１０１  設置台本体
５、１０５  背負い紐
７、１０７  引掛かり具
１２、１１２  雲台
１４、１１４  脚
５１、１５１  連結紐
５２、１５２  上部帯紐
５４、１５４  フック体
９１  バッグ
１９１  バッグ
発明の詳細な開示
以下、第一の本発明のカメラ設置台を実施の形態に則して説明する。なお、第一の本発明のカメラ設置台は、この記載に限定されることはない。
図１は第一の本発明のカメラ設置台の一例（カメラ設置台Ａ）を概略で示した外観図、図２はバッグ９１が収納された収納体１１を吊り下げた状態のカメラ設置台Ａの概略斜視図、図３は背負い紐５の外観図、図４は引掛かり具７の概略斜視図、図５は袋体９の概略外観図である。
図１に示すように、このカメラ設置台Ａは、三脚でなる設置台本体１と背負い紐５とを備えている。
設置台本体１は、雲台１２にヒンジ部１３を介して３本の脚１４を連結してなり、雲台１２にはカメラＣを取り付けることができ、３本の脚１４を拡げて床や地面などに設置することができるようになっている。
背負い紐５は、図２及び図３に示す如く、帯状の連結紐５１によって上端部同士が連結されている柔軟材を内包した左右一対の背負いベルト５０と、連結紐５１に縫着された上部帯紐５２と、端部にフック体５４が取り付けられている左右一対の下部帯紐５３とを備えている。なお、図３では、背負いベルト５０が裏側を向いた状態が示されており、背負いベルト５０の柔軟材を内包した部分の裏面５０ａが示されている。設置台本体１を背負ったときには、この裏面５０ａが肩に当接するのである。そして、連結紐５１には左右一対の吊り具５５が連結されていると共に、下部帯紐５３は、背負いベルト５０の下端部に取り付けられたクランプ５７を介してその背負いベルト５０に連結されている。そして、クランプ５７が、下部帯紐５３をしごいてその固定箇所を変更することによって下部帯紐５３を伸縮させる機能を備えている。そのため、下部帯紐５３はクランプ５７に対する固定箇所を変更することによってその長さを伸ばしたり縮めたりすることが可能である。
図４に示した引掛かり具７は、金属製のバンド７１にループ状に成形した金属製の引掛け部７２を結合してなり、バンド７１は、その一端部７３と他端部７４とを、一端部７３に具備させたバックル７５によって連結することができるようになっている。
以上説明したカメラ設置台Ａでは、設置台本体１が三脚でなる。そして、この三脚でなる設置台本体１を背負って運搬するときには、図１に示すように、引掛かり具７の金属製のバンド７１を設置台本体１の２本の脚１４、１４の下部に締付け固定し、その引掛け部７２（図４参照）に背負い紐５の左右のフック体５４、５４を各別に引掛け、併せて、上部帯紐５２を設置台本体１の雲台１２と脚１４…とを連結しているヒンジ部１３に結び付ける。こうすると、背負いベルト５０、５０の内側に左右の腕を通して設置台本体１を背中に背負うことが可能になるので、そのようにして設置台本体１を背中に背負い、両手が自由になった状態で設置台本体１を運搬することができる。なお、この設置体本体１を背負ったときには、図１に示した背負いベルト５０の柔軟材を内包した部分の裏面５０ａが肩に当接するのである。
設置台本体１を背中に背負って運搬する場合、設置台本体１の３本の脚１４…は開いたままであっても、それらをコンパクトに閉じ合わせておいてもよい。たとえば、撮影ポイントをある場所からその近くの他の場所に移すようなときには、先の撮影ポイントで設置台本体１の雲台１２に取り付けていたカメラＣを取り外さずに、しかも、設置台本体１の脚１４を閉じ合わさずに開いたまま、その設置台本体１を背中に背負って他の撮影ポイントまで運搬するようにすれば、他の撮影ポイントでは、脚１４の開いている設置台本体１をそのまま置いて即座に撮影を開始することができる。
このカメラ設置台Ａを用いると、図２に示すように、設置台本体１以外の撮影機材を収容したバッグ９１が収納された収納体１１を設置台本体１と合わせて背中に背負って運搬することも可能である。図例では収納体１１にバッグ９１が収納されている様子が示されている。図５に示したように収納体１１は、バッグ９１を入れるための袋体９２と、袋体９２に開閉可能に閉じ合わされる前開き片９４とを備えており、袋体９２には左右に連結紐９３が備わっている。また、袋体９２には、前開き片９４を閉じ合わせるための面状ファスナー９５、９６が適所に備わっている。そして、図２に示すように、袋体９２の左右の連結紐９３を左右の吊り具５５に連結することによって、袋体９２とその袋体９２に入れたバッグ９１とを吊り具５５を介して上部から吊り下げることにより、収納体１１に収納されたバッグ９１を設置台本体１と背負い紐５との間に位置させることができる。
このようにすると、左右の背負いベルト５０の内側に左右の腕を通して設置台本体１とバッグ９１が収納された収納体１１とを背中に背負うことが可能になるので、そのようにして設置台本体１を背中に背負い、両手が自由になった状態でに設置台本体１や収納体１１を運搬することができる。この場合でも、設置台本体１の複数本の脚１４…は開いたままであってもコンパクトに閉じ合わせておいてもよく、さらに、カメラＣを雲台１３に取り付けたままであってもよい。また、設置台本体１とバッグ９１が収納された収納体１１とを背中に背負う場合には、設置台本体１の上部に結び付けた上部帯紐５２の余剰部分をバッグ９１の手提げ用把手（図示せず）に結び合わせるようにすると、バッグ９１が左右の吊り具５５と上部帯紐５２とにより３か所で支えられるようになるので、バッグ９１が収納された収納体１１を安定性よく背中に背負うことができるようになる。
なお、図示していないけれども、撮影機材を自動車で運搬する場合には、図２に示すように設置台本体１に背負い紐５を取り付けた状態で、設置台本体１を車体床に立て、引掛かり具７から取り外した背負い紐５を、自動車や座席などの他のものに結び合わせて連結しておけば、運搬中に設置台本体１の横倒れなどを防ぐことが可能になるだけでなく、図２に示す撮影時の状態のままカメラ設置台Ａを運搬することができる利便がある。
このように、カメラ設置台Ａによれば、三脚からなる設置台本体１と、バッグ９１が収納された収納体１１とを一体的に取り扱うことが可能となるので、バッグ９１にカメラ部品としての交換レンズやフィルム等の部品を収納しておけば、容易に持ち運ぶことができるとともに、移動して撮影する際に、上記部品を置き忘れたりしてしまうことを防止することができる。また、カメラが取り付けられた設置台本体１と収納体１１とが、一体的に連結されているため、熱中して撮影を行っている場合でも、バッグ９１等が盗難に遭う危険性を低減することができる。
この実施形態では、カメラ設置台Ａの設置台本体１が３本の脚を有する三脚である場合を説明したけれども、設置台本体１には１本の脚を有する一脚や、２本の脚を有する二脚などもあり、これら一脚と呼ばれる設置台本体１や二脚と呼ばれる設置台本体１を備えたカメラ設置台についても本発明を同様に適用することができる。
また、この実施形態では、引掛かり具７を設置台本体１とは別部品とし、その引掛かり具７のバンド７１を設置台本体１の脚１４に取り付けるようにしてあるけれども、この点、上記引掛かり具７と同様な作用効果を有する引掛かり具が設置台本体１の脚１４に溶接で直接に固定されていても、あるいは、そのような引掛かり具が取付けビスなどの止具を用いて設置台本体１の脚１４に固定されていてもよい。また、引掛かり具７を脚１４に取り付けず、背負いベルト５０の端部に面状ファスナーや、背負いベルト５０の締め付けを行うための金属製の環体等を設け、背負いベルトの端部を脚１４に巻き付けるようにしてもよい。
また、上述したフック体５４及びフック体５４が取り付けられる引掛かり具７、並びに、背負いベルト５０の下端部に取り付けられたクランプ５７等の各種の連結機構については、これらの連結機構と同じ機能を有するものであれば、図示したものに限定されない。
以下、第二の本発明のカメラ設置台を実施の形態に則して説明する。第二の本発明のカメラ設置台は、この記載に限定されることはない。
なお、第二の本発明のカメラ設置台は、本発明の背負い紐、本発明の引掛かり具及び本発明の収納体を備えた構成となっているため、以下においては、本発明の背負い紐、本発明の引掛かり具及び本発明の収納体についても併せて説明することにする。
図６は、第二の本発明のカメラ設置台の一例（カメラ設置台Ｄ）を概略で示した外観図、図７（ａ）は、バッグ１９１が収納された収納体１１０を吊り下げた状態のカメラ設置台Ｄの概略斜視図、（ｂ）は、（ａ）に示したカメラ設置台Ｄの引掛かり具１０７近傍を示す拡大正面図、図８は背負い紐１０５の外観図、図９（ａ）は、引掛かり具１０７の概略平面図、図９（ｂ）は、引掛かり具１０７の概略底面図、図９（ｃ）は、脚１１４に引掛かり具１０７が取り付けられた様子を示す概略斜視図である。図１０は、収納体１１０の概略外観図である。
図６に示すように、このカメラ設置台Ｄは、三脚である設置台本体１０１と背負い紐１０５とを備えている。
設置台本体１０１は、雲台１１２にヒンジ部１１３を介して３本の脚１１４を連結してなり、雲台１１２にはカメラＦを取り付けることができ、３本の脚１１４を拡げて床や地面等に設置することができるようになっている。
背負い紐１０５は、図７、図８に示す如く、帯状の連結紐１５１によって上端部同士が連結されている左右一対の背負いベルト１５０と、連結紐１５１に縫着された上記第１の連結手段である上部帯紐１５２とを備えている。背負いベルト１５０は、柔軟材を内包した主部１６１と、第３の連結手段であるフック体１５４を具備する下部帯紐１５３とからなる。なお、図８では、背負いベルト１５０が裏側を向いた状態が示されており、柔軟材を内包した主部１６１の裏面１５０ａが示されている。設置台本体１０１を背負ったときには、この裏面１５０ａが肩に当接するのである。また、下部帯紐１５３は、主部１６１の下端部に取り付けられた係止用アタッチメント１５９と着脱可能に連結するクランプ１５７を具備する係止用アタッチメント１５８を備えている。
そして、クランプ１５７が、下部帯紐１５３をしごいてその固定箇所を変更することによって下部帯紐１５３を伸縮させる機能を備えている。そのため、下部帯紐１５３は、クランプ１５７に対する固定箇所を変更することによってその長さを伸ばしたり縮めたりすることが可能である。
図９（ａ）〜（ｃ）に示した引掛かり具１０７は、合成繊維等からなるバンド１７１の右側の端部に結合された金属製の環体１７８と、環体１７８の左側に結合され、両端部に止め具１７７が設けられた帯体１７３と、帯体１７３の左側に結合された金属製の引掛け部１７２とを備えている。
また、バンド１７１の左側及び右側の端部には、それぞれ面状ファスナー１７９、１８０が設けられている。
この引掛かり具１０７を脚１１４の下部に取り付ける際には、滑止部１７４が脚１１４に接するようにバンド１７１を脚１１４の下部に巻き付け、バンド１７１の左側の端部を環体１７８に挿通し、折り返してバンド１７１を脚１１４に締め付けた後、面状ファスナー１７９を面状ファスナー１８０に接着させる。そして、面状ファスナー１７９と面状ファスナー１８０との接着部分に帯体１７３を巻き付けて止め具１７７により固定するのである（図９（ｃ）参照）。
この引掛かり具１０７によれば、面状ファスナー１７９と面状ファスナー１８０とが接着されることにより、撓むことなく堅固にバンド１７１を脚１１４に巻き付けることができるとともに、異なる太さの脚を備えた既存の三脚に対して、引掛かり具１０７を取り付けることが可能となり、汎用性に優れたものとなる。
また、バンド１７１を環体１７８を利用して折り返して締め付けることができるため、バンド１７１を脚１１４に堅固に巻き付けることが可能となる。
また、バンド１７１と脚１１４との接触部分に滑止部１７４が設けられているため、この滑止部１７４により、巻き付けられたバンド１７１がずれることを防止することができる。
また、面状ファスナー１７９と面状ファスナー１８０との接着部分が、帯体１７３に被覆された状態で、その被覆部分が止め具１７７により固定されるため、上記接着部分を、障害物等の衝突から保護することができ、面状ファスナー１７９と面状ファスナー１８０とが剥がれてしまうことを防止することができる。
また、バンド１７１を脚１１４に巻き付けて、面状ファスナー１７９、１８０で固定するという簡単な取り付け方法により、引掛かり具１０７を取り付けることが可能となるため、引掛かり具を脚に取り付けるための工具等が不要となり、利便性に優れたものとなる。
また、引掛かり具１０７が脚１１４に対して着脱可能であるため、不要なときに引掛かり具１０７を脚１１４から取り外すことができるので、引掛かり具１０７が不要なときに脚１１４に取り付けた引掛かり具１０７がじゃまになるということがない。
図６に示すように、カメラ設置台Ｄでは、三脚からなる設置台本体１０１に背負い紐１０５を取り付ける際には、まず、上述したカメラ設置台Ａの場合と同様に、上部帯紐１５２を設置台本体１０１の雲台１１２と３本の脚１１４とを連結しているヒンジ部１１３に結び付ける。そして、上述した方法で引掛かり具１０７を、引掛かけ部１７２が左右に開いた脚１１４の内側を向くように取り付け、その後、右肩用の背負いベルト１５０（図６おける左側の背負いベルト１５０）の下部帯紐１５３が備えるフック体１５４を、右側の引掛かり具１０７が備える引掛け部１７２に引っ掛けるとともに、左肩用の背負いベルト１５０（図６における右側の背負いベルト１５０）の下部帯紐１５３が備えるフック体１５４を、左側の引掛かり具１０７が備える引掛け部１７２に引っ掛けることにより、右肩用の背負いベルト１５０と左肩用の背負いベルト１５０とが互いに交差するように一対の下部帯紐１５３を引掛かり具１０７にそれぞれ取り付けるのである。
このようにすることにより、設置台本体１０１を背負った際に、設置台本体１０１等の重力に起因して引っ張り応力が働き、左右の下部帯紐１５３に連結された引掛かり具１０７が取り付けられた左右の脚１１４が、共に内側に引っ張られ、左右の脚１１４が閉じ合わされるのである。このカメラ設置台Ｄでは、上述したように設置台本体１を背負うだけで、自動的に左右の脚１１４が閉じ合わされるため、利便性に優れたものとなる。なお、この設置台本体１０１を背負ったときには、図６に示した背負いベルト１５０の柔軟材を内包した部分の裏面１５０ａが肩に当接するのである。
また、このカメラ設置台Ｄを用いると、図７に示すように、上述したカメラ設置台Ａの場合と同様に、設置体本体１０１以外の撮影機材等が入ったバッグ１９１が収納された収納体１１０を、設置台本体１０１と合わせて背中に背負って運搬することも可能である。
図１０に示したように、収納体１１０は、バッグ１９１を入れるための袋体１９２と、袋体１９２に開閉可能に閉じ合わされる柔軟材が内包された前開き片１９４とを備えている。前開き片１９４は、袋体１９２の右側に取り付けられた帯紐１９８の先端に設けられた面状ファスナー１９５が、袋体１９２の左側に設けられた面状ファスナー１９９に接着された状態で、帯紐１９８の内側に位置するように閉じ合わされる。また、図１０には示していないが、帯紐１９８の面状ファスナー１９５の反対側面にも面状ファスナーが設けられている。
従って、この面状ファスナーと、前開き片１９４に設けられた面状ファスナー１９６とが接着されることにより、前開き片１９４が袋体１９２に閉じ合わされるようにしてもよい。この場合、前開き片１９４は、帯紐１９８の外側に位置することになる。
また、袋体１９２の左右には、連結紐１５１の係止用アタッチメント１５５と着脱可能に連結される係止用アタッチメント１９７を備える連結紐１９３が設けられている。袋体１９２の底部には、支持板が内包されており、また、収納体１１０が背負い紐１０５の連結紐１５１に吊り下げられた状態で、バッグ１９１が、設置台本体１の脚１１４の傾きによって、バッグ１９１の前開き片１９４側の面が上方を向くように、若干傾斜した状態となっている。これにより、前開き片１９４が開いた状態であっても、袋体１９２によってバッグ１９１を安定して支持することができ、バック１９１の傾きによってその中の荷物が落ちないので、そのままの状態でバッグ１９１を取り扱うことができる。
さらに、図７（ｂ）に示すように、収納体１１０には、前開き片１９４が設けられている側と反対側の中央部分の底部にリング体１６０が設けられており、また、前開き片１９４が設けられている側の左側の側底部及び右側の側底部に２つの側部リング体１６５が設けられている。
三脚からなる設置台本体１０１に背負い紐１０５を取り付け、さらにカバン１９１が収納された収納体１１０を背負い紐１０５に取り付ける際には、まず、上述したカメラ設置台Ａの場合と同様に、上部帯紐１５２を設置台本体１０１の雲台１１２と３本の脚１１４とを連結しているヒンジ部１１３に結び付ける。その後、背負い紐１０５が備える連結紐１５１の係止用アタッチメント１５５に、収納体１１０が備える連結紐１９３が備える係止用アタッチメント１９７を取り付ける（図７参照）。
そして、上述した方法で引掛かり具１０７を、引掛け部１７２が左右に開いた脚１１４の内側を向くように取り付け、その後、右肩用の背負いベルト１５０（図７における左側の背負いベルト１５０）の下部帯紐１５３を、左側の側部リング体１６５、リング体１６０に順に挿通して、下部帯紐１５３が備えるフック体１５４を、左側の引掛かり具１０７が備える引掛け部１７２に引っ掛けるとともに、左肩用の背負いベルト１５０（図７における右側の背負いベルト１５０）の下部帯紐１５３を、右側の側部リング体１６５、リング体１６０の順に挿通して、下部帯紐１５３が備えるフック体１５４を、右側の引掛かり具１０７が備える引掛け部１７２に引っ掛けることにより、一対の下部帯紐１５３を引掛かり具１０７にそれぞれ取り付けるのである。このとき、リング体１６０より脚１１４側の下部帯紐１５３は、左右にほぼ水平方向に開くようにフック体１５４、引掛かり具１０７を介して脚１１４に連結されている。
そして、設置台本体１０１を背負った際には、設置台本体１０１やカバン１９１等の重力に起因して、２つの下部帯紐１５３に引っ張り応力が働き、左右のリング体１６５及び２つの下部帯紐１５３を束ねたリング体１６０を介し、２つの下部帯紐１５３が内側に引っ張られる。その結果、左右の脚１１４が、リング体１６０の方向に引っ張られて閉じ合わされるのである。上述したように、設置台本体１を背負うだけで、自動的に左右の脚１１４が閉じ合わされるため、利便性に優れたものとなる。
カメラ設置台Ｄによれば、上述したカメラ設置台Ａと同様に、左右の背負いベルト１５０の内側に左右の腕を通して設置台本体１０１と、バッグ１９１が収納された収納体１１０とを背中に背負うことが可能になるので、そのようにして設置台本体１０１を背中に背負い、両手の自由になった状態で設置台本体１０１や収納体１１０を運搬することができる。この場合、カメラＦは、雲台１１３に取り付けたままであってもよい。また、設置台本体１０１と収納体１１０とを背中に背負う場合には、設置台本体１０１の上部に結び付けた上部帯紐１５２の余剰部分を、収納体１１０に収納されているバッグ１９１の手提げ用把手（図示せず）に結び合わせるようにすると、バッグ１９１が左右の係止用アタッチメント１５５と上部帯紐１５２とにより３か所で支えられるようになるので、バッグ１９１が収納された収納体１１０を安定性よく背中に背負うことができるようになる。
なお、図示していないけれども、撮影機材を自動車で運搬する場合には、図７に示すように設置台本体１０１に背負い紐１０５を取り付けた状態で、設置台本体１０１を車体床に立て、引掛かり具１０７から取り外した背負い紐１０５を、自動車や座席等の他のものに結び合わせて連結しておけば、運搬中に設置台本体１０１の横倒れ等を防ぐことが可能になるだけでなく、図７に示す撮影時の状態のままカメラ設置台Ｄを運搬することができる利便がある。
このように、カメラ設置台Ｄによれば、三脚からなる設置台本体１０１と、バッグ１９１が収納された収納体１１０とを一体的に取り扱うことが可能となるので、バッグ１９１にカメラ部品としての交換レンズやフィルム等の部品を収納しておけば、容易に持ち運ぶことができるとともに、移動して撮影する際に、上記部品を置き忘れたりしてしまうことを防止することができる。また、カメラが取り付けられた設置台本体１０１とバッグ１９１とが、一体的に連結されているため、熱中して撮影を行っている場合でも、バッグ１９１等が盗難に遭う危険性を低減することができる。
この実施形態では、カメラ設置台Ｄの設置台本体１０１が３本の脚を有する三脚である場合を説明したが、設置台本体１０１には、１本の脚を有する一脚や、２本の脚を有する二脚等もあり、これら一脚と呼ばれる設置台本体１０１や二脚と呼ばれる設置台本体１０１を備えたカメラ設置台についても本発明を同様に適用することができる。
また、この実施形態では、引掛かり具１０７を設置台本体１０１とは別部品とし、その引掛かり具１０７のバンド１７１を設置台本体１０１の脚１１４に取り付けるようにしているが、この点、例えば、引掛かけ部が設けられた引掛かり具が、設置台本体１の脚１１４に溶接等で直接固定されていても、また、そのような引掛かり具が取付けビス等の止具により設置台本体１０１の脚１１４に固定されていてもよい。また、引掛かり具１０７を脚１１４に取り付けず、背負いベルト１５０の端部に面状ファスナーや、背負いベルト１５０の締め付けを行うための金属製の環体等を設け、背負いベルトの端部を脚１１４に巻き付けるようにしてもよい。
また、このカメラ設置台Ｄを構成する各種の部品は、同じ機能を有するように構成されていれば、適宜設計変更されてもよい。
以上、第一の本発明のカメラ設置台、及び、第二の本発明のカメラ設置台について説明したが、本発明は、写真撮影用のカメラが設置される設置台に適用されるものに限定されず、例えば、ビデオ撮影用のビデオカメラや、トランシット、レベル等の測量器械や、拡声器等が設置される設置台に適用してもよい。
次に、第一の本発明のカメラ設置台、又は、第二の本発明のカメラ設置台を雨天時に使用する際に、カメラとバッグとが濡れることを防止するためにカメラ設置台に被覆される雨避具について説明する。
なお、以下においては、実施形態に係るカメラ設置台Ａに上記雨避具を適用した場合について説明する。
図１１は、第一の本発明に係るカメラ設置台Ａに雨避具２００が取り付けられた様子を模式的に示す外観図であり、図１２（ａ）は、雨避具２００が備えるカメラ保護枠２２０を模式的に示す正面図であり、図１２（ｂ）は、（ａ）に示したカメラ保護枠２２０の側面図であり、図１３は、雨避具２００が備えるカメラ保護カバー２３０を模式的に示す平面図であり、図１４は、雨避具２００が備えるバッグ保護カバー２４０を模式的に示す平面図である。なお、図１２（ｂ）は、基部２２２の一部を破断して示している。
雨避具２００は、図１１に示すように、設置台本体１の雲台１２（図示せず）に取り付けられたカメラＣのレンズ部分に取り付けられたカメラ保護枠２２０と、カメラＣの全体を被覆するカメラ保護カバー２３０と、バッグ９１が収納された収納体１１の全体を被覆するバッグ保護カバー２４０とを備えている。カメラ保護カバー２３０は、カメラＣを被覆した状態で、カメラＣのレンズ部分に取り付けられたカメラ保護枠２２０の側周部に接着されるとともに、カメラＣの手前側で閉じ合わされている。また、バッグ保護カバー２４０は、バッグ９１が収納された収納体１１を被覆した状態で、収納体１１の手前側で閉じ合わされている。
図１２（ａ）、（ｂ）に示すように、カメラ保護枠２２０は、正面視略三角形状を有しており、カメラＣのレンズ部分を固定するための保持体２２３が設けられた基部２２２を備えている。また、基部２２２の左右両側には、スライド板２２１が進退可能に挿入されている。
また、基部２２２は、スライド板２２１に一定のピッチで連続して形成された係合凹部２２１ａに係合する係合部２２６ａを具備する板ばね部材２２６を備えており、スライド板２２１の係合凹部２２１ａが、基部２２２の板ばね部材２２６に弾力的に係脱するようになっている。このスライド板２２１をスライドさせることにより、カメラ保護枠２２０のカメラＣが嵌め込まれる部分の大きさを調節することが可能となる。また、下側の基部２２２には、端部に面状ファスナー２２５を備えた一対の帯紐２２４が設けられている。この一対の帯紐２２４をカメラ保護枠２２０の側周部に巻き付けて、面状ファスナー２２５で固定することにより、カメラ保護枠２２０のカメラＣが嵌め込まれる部分の大きさを調整し、その状態で固定することができる。また、このスライド板２２１は、基部２２２から取り外すことができるようになっており、全ての基部２２２からスライド板２２１を取り外すことによりカメラ保護枠２２０を分解して、バッグ９１等にコンパクトに収納することが可能となる。
また、スライド板２２１には、面状ファスナー２２８が設けられている。この面状ファスナー２２８は、後述するカメラ保護カバー２３０を固定するためのものである。
図１３に示すように、カメラ保護カバー２３０は、カメラＣを被覆する略四角形状を有するシート２３１と、シート２３１の上部の一辺に設けられた面状ファスナー２３２とを備えている。この面状ファスナー２３２は、上述したカメラ保護枠２２０の外側に設けられた面状ファスナー２２８に接着される。これにより、カメラＣのレンズ部分に取り付けられたカメラ保護枠２２０にカメラ保護カバー２３０を固定することができる。
図１４に示すように、バッグ保護カバー２４０は、略四角形状を有する本体シート２４１と、本体シート２４１の上部に取り付けられた挿通部保護シート２４５とを備えている。本体シート２４１の上部左側には、面状ファスナー２４３が設けられており、本体シート２４１の上部右側の裏側には、面状ファスナー２４３と接着される面状ファスナー２４４が設けられている。
また、本体シート２４１には、背負い紐５の背負いベルト５０が挿通される挿通孔２４２が形成されている。
このバッグ保護カバー２４０を、図１に示すカメラ設置台Ａに取り付ける際には、背負い紐５の上部帯紐５２のみが設置台本体に取り付けられ、下部帯紐５３が引掛かり具７に取り付けられていない状態で、バッグ９１が収納された収納体１１にバッグ保護カバー２４０を覆い被せた後、面状ファスナー２４３と面状ファスナー２４４とを接着して固定し、本体シート２４１の内側から、挿通孔２４２に背負いベルト５０を挿通させて、背負いベルト５０を本体シート２４１の外側に引き出す。そして、下部帯紐５３を引掛かり具７に取り付け、背負いベルト５０が挿通されている挿通孔２４２に、挿通部保護シート２４５を覆い被せるのである。
このようにすることにより、カメラ設置台Ａに雨避具２００を取り付けた状態で、設置台本体１を背負うことができるため、雨天時の移動撮影における利便性に優れたものとなる。また、両手が自由になった状態で、設置台本体１を背負って運搬することができる。なお、背負いベルト５０に雨避け用のカバーを被覆してもよい。
従って、雨避けのシート等が被覆された状態でカメラ設置台を手に持って移動しなければならず、移動撮影が困難であるという従来生じていた問題を解決することが可能である。
また、雨避具２００は、カメラＣを保護するカメラ保護カバー２３０と、収納体１１を保護するバッグ保護カバー２４０とを別体で備えているため、設置台本体１を地面に置き、カメラＣにカメラ保護カバーが取り付けられた状態でカメラＣを設置台本体１から取り外し、そのまま撮影を行うことも可能となる。
従って、雨避けのシート等が、カメラが取り付けられた設置台本体の全体に被覆する１枚のシート等で構成されているため、上述したようにカメラを設置台本体から取り外して撮影を行おうとすると、カメラが雨に濡れてしまうという従来生じていた問題を解決することが可能である。
上述した第一の本発明に係るカメラ設置台Ａでは、バッグ９１が収納された収納体１１が、背負い紐５に着脱可能に連結されるように構成されており、また、第二の本発明に係るカメラ設置台Ｄでは、バッグ１０９が収納されたバッグ収納体１１０が、背負い紐５に着脱可能に連結されているように構成されている場合について説明したが、本発明では、以下に示すように、直接背負い紐と着脱可能に連結されるようにバッグが構成されていてもよい。
なお、以下においては、第二の本発明のカメラ設置台が備える収納体に換えて、上述したバッグを適用した場合について説明するが、勿論、第一の本発明のカメラ設置台についても、このような構成を採用することが可能である。
図１５は、背負い紐５と着脱可能に連結されるように構成されたバッグ（バッグ２５０）を吊り下げた状態のカメラ設置台Ｄの概略斜視図であり、図１６は、バッグ２５０が開いた状態を示す正面図である。
バッグ２５０は、連結紐１５１の係止用アタッチメント１５５と着脱可能に連結される係止用アタッチメント２９７を備える左右一対の連結紐２９３を備えている。また、バッグ２５０は、柔軟材が内包された開閉部２９６を備えており、この開閉部２９６は、前開きに開くようになっている。
また、バッグ２５０の内部の側周部には、バッグ２５０全体を支持する硬質材からなる側板２８０が設けられている。さらに、バッグ２５０の内部には、側板２８０によって囲まれたバッグ２５０の収納領域を分割する硬質材からなる仕切板２８１が複数設けられている。
このバッグ２５０が、設置体本体１０１に取り付けられた背負い紐１０５に取り付けられると、バッグ２５０が、設置体本体１０１の脚１１５の傾きによって、バッグ２５０の開閉部２９６側の面が上方を向くように、若干傾斜した状態となっている。これにより、開閉部２９６が前開きになった状態であっても、バッグ２５０の傾きによってその中の荷物が落ちないので、そのままの状態でバッグ２５０を取り扱うことができる。
また、バッグ２５０が撮影を行う撮影者のすぐ前に位置するため、例えば、カメラのファインダーを覗きながらバッグ２５０を取り扱うことも可能であり、利便性に優れたものとなる。また、撮影者の前側近傍にバッグ２５０が位置するため、バッグに収納されている機材等が盗難に遭う危険性を低減することができる。
産業上利用の可能性
以上説明したように、第一の本発明のカメラ設置台によれば、一脚、二脚あるいは三脚などの設置台本体の上部と引掛かり具とに連結した背負い紐でその設置台本体を背中に背負って運搬することができるので、カメラ設置台を手に持ったり肩に担いだりする必要がなくなり、徒歩で運搬するときやバイクで運搬するときに片手あるいは両手を自由に使用することができる。また、雲台にカメラを取り付けたままの設置台本体を背負うこともできるため、運搬先では設置台本体を置いてカメラ取付作業を行うことなくすばやく撮影作業に入ることが可能になる。
また、第二の本発明のカメラ設置台によれば、一脚、二脚あるいは三脚などの設置台本体の上部と引掛かり具とに連結した背負い紐でその設置台本体を背中に背負って運搬することができるので、カメラ設置台を手に持ったり肩に担いだりする必要がなくなり、徒歩で運搬するときやバイクで運搬するときに片手あるいは両手を自由に使用することができる。また、雲台にカメラを取り付けたままの設置台本体を背負うこともできるため、運搬先では設置台本体を置いてカメラ取付作業を行うことなくすばやく撮影作業に入ることが可能になる。
また、本発明の背負い紐によれば、当該背負い紐を、設置台本体の上部と上記脚の下部とに連結して、その設置台本体を背中に背負って運搬することができるので、カメラ設置台を手に持ったり肩に担いだりする必要がなくなり、徒歩で運搬するときやバイクで運搬するときに片手あるいは両手の自由を使用することができる。また、雲台にカメラを取り付けたままの設置台本体を背負うこともできるため、運搬先では設置台本体を置いてカメラ取付作業を行うことなくすばやく撮影作業に入ることが可能になる。
また、本発明の引掛かり具によれば、脚の下部に巻き付けられたバンドがずれることを防止することができ、また、異なる太さの脚を供えた既存の三脚に対して、引掛かり具を取り付けることができ、さらに、簡単な取り付け方法により設置台本体の脚に引掛かり具を取り付けることができる。
また、本発明の収納体によれば、収納体を地面から浮かせた状態で背負い紐に取り付けることにより、バッグ等を地面につけることなく収納体に収納させたまま、バッグを取り扱うことができるため、水溜り等があっても、その場所にバッグが収納されたカメラ設置台を移動させてバッグを取り扱うことができる。
【図１】
2004063617.tif 000003
【図２】
2004063617.tif 000004
【図３】
2004063617.tif 000005
【図４】
2004063617.tif 000006
【図５】
2004063617.tif 000007
【図６】
2004063617.tif 000008
【図７】
2004063617.tif 000009
【図８】
2004063617.tif 000010
【図９】
2004063617.tif 000011
【図１０】
2004063617.tif 000012
【図１１】
2004063617.tif 000013
【図１２】
2004063617.tif 000014
【図１３】
2004063617.tif 000015
【図１４】
2004063617.tif 000016
【図１５】
2004063617.tif 000017
【図１６】
2004063617.tif 000018
【国際調査報告】
2004063617.tif 000019
2004063617.tif 000020
2004063617.tif 000021
2004063617.tif 000022
2004063617.tif 000023